(57)【要約】【課題】  ＷＥＢ入稿印刷システムにおいて、高速に印刷、顧客への配送をすることができるようにする。【解決手段】  入稿されたデータから複数の印刷中間データを生成し、プリンタスケジュールにあわせて複数の印刷中間データの中から最適な印刷中間データを選択して印刷する。【選択図】  図１
2006155017.tif 000002
【特許請求の範囲】
【請求項１】
ネットワーク上のＷＥＢクライアントから入稿し、印刷拠点側で印刷を行うＷＥＢ入稿システムにおいて、ＷＥＢクライアントから入稿するＷＥＢ入稿手段と、入稿されたデータを管理するデータ管理手段と、データを印刷する手段とを持ち、前記データ管理手段は、入稿を受け付けた後に複数の印刷中間データを作成し、プリンタスケジュールにあわせて最適な印刷中間データから印刷を行うことを特徴とするＷＥＢ入稿印刷システム。
【請求項２】
前記データ管理手段は、（１）特定プリンタ用のPDL（Page Description Language）データ（２）プリンタよらない印刷中間データ（３）特定プリンタ用のRIP済みデータを作成することを特徴とするＷＥＢ入稿印刷システム。
【請求項３】
前記データ管理手段は、複数の印刷中間データからプリンタに合わせて最も高速に印刷可能な印刷中間データから印刷を行うことを特徴とするＷＥＢ入稿印刷システム。
【発明の詳細な説明】
【技術分野】
【０００１】
本発明は、ネットワーク上のＷＥＢクライアントから入稿し、印刷拠点側で印刷を行うＷＥＢ入稿システムに関する。
【背景技術】
【０００２】
従来、ネットワーク上のＷＥＢクライアントから入稿し、印刷拠点側で複数のプリンタを保持し、スケジュールに合わせて印刷を行い顧客へ印刷物を配送するＷＥＢ入稿システムがある。
【０００３】
又、別の従来例としては、例えば特許文献１をあげることが出来る。
【特許文献１】特開２００４−２７９４４５号公報
【発明の開示】
【発明が解決しようとする課題】
【０００４】
そのようなシステムにおいて多量の印刷オーダーからできるだけ高速に印刷を行う必要性が強く存在する。
【課題を解決するための手段】
【０００５】
上記の問題点を解決するため、本発明におけるＷＥＢ入稿システムは、ＷＥＢクライアントから入稿するＷＥＢ入稿手段と、入稿されたデータを管理するデータ管理手段と、データを印刷する手段とを持ち、前記データ管理手段は、入稿を受け付けた後に複数の印刷中間データを作成し、プリンタスケジュールにあわせて最適な印刷中間データから印刷を行うことを特徴とする。
【発明の効果】
【０００６】
以上のように、本発明によれば入稿されたデータから複数の印刷中間データを生成し、プリンタスケジュールにあわせて複数の印刷中間データの中から最適な印刷中間データを選択して印刷することが可能となり、高速に印刷、顧客への配送をすることができる。
【発明を実施するための最良の形態】
【０００７】
以下、本発明の実施例について説明する。
【０００８】
本発明に係るプルプリント印刷システムの１例を図１に示す。
【０００９】
１はCPU、２はデータ入力のためのキーボード、３は文書画像を表示するディスプレイ、４は文書を格納するハードディスク、５は装置を制御するプログラムや必要な情報をあらかじめ記憶するROM、６は様々なワークエリアとして利用されるRAM、７は所望の文書を印刷するにあたって複数の印刷中間データを作成する印刷中間データ作成部、８は所望の文書からPDL(Page Description Language)データを作成するPDL作成部、９は所望のデータからプリンタ非依存の印刷中間データを作成するプリンタ非依存印刷中間データ作成部、１０はRIP(Raster Image Process:ベクトルデータをラスタイメージに展開)済みデータを作成するソフトRIP等のRIP済みデータ作成部、１１は８，９，１０で作成された印刷中間データと対象プリンタ機種情報を記述した情報ヘッダを作成する情報ヘッダ作成部、１２はＷＥＢ入稿を受け付けるサーバ側のＷＥＢ入稿受信部、１３はＷＥＢ入稿をクライアント側で受け付け、ネットワークを通じてサーバへ送信するＷＥＢ入稿部、１４は印刷するプリンタ、１５は各種データを転送するデータバスである。
【００１０】
図２は、本発明の実施例のＷＥＢ入稿システムを示す図である。２０１はWEB入稿クライアントで入稿されたデータをネットワーク２０２を通じてＷＥＢ入稿サーバ２０３へ送信する。
【００１１】
２０４、２０５、２０６は印刷拠点側に存在する印刷を行うための様々な機種のプリンタ、２０７は、入稿されたでーたから複数の印刷中間データを生成してそれらの情報をまとめた情報ヘッダ２０８とあわせてアーカイブされて管理される印刷中間データコンテナ２０７を示している。
【００１２】
図３〜５は、本発明のＷＥＢ入稿印刷システムの処理を示すフローチャートである。
【００１３】
以下、本発明のＷＥＢ入稿システムの好適な実施例を説明する。
【００１４】
図３のステップS301でＷＥＢ入稿部１３においてＷＥＢ入稿クライアント２０１からネットワーク２０３を通じてＷＥＢ入稿サーバへ入稿されたデータを送信する。
【００１５】
次にステップS302で、ＷＥＢ入稿受信部１２において、入稿されたデータをＷＥＢ入稿サーバ２０４で受信する。
【００１６】
ステップS303では入稿されたでーたから複数の印刷中間データを作成する。それらの処理に関しては、図４のフローで詳しく説明する。
【００１７】
図４のステップＳ401で、ＷＥＢ入稿受信部１２において、データが入稿されたか監視を行い、入稿された場合は、ステップＳ402に進む。
【００１８】
ステップＳ402では、ＰＤＬ作成部８において、入稿されたデータをRAM6上に記憶し、データを印刷するために必要なアプリケーションを起動し「印刷命令」を実行してPDL(Page Description Language)を作成し、ハードディスク4に記憶する。
【００１９】
次にステップS403で、プリンタ非依存印刷中間データ作成部９において、入稿されたデータからプリンタ非依存型印刷中間データを作成する。たとえばプリンタ非依存型印刷中間データとしては、PDF (Portable Document Format)がある。他にもSVG(Scalable Vector Graphics)などがある。例えば、プリンタ非依存印刷中間データ作成部9は、オリジナルアプリから印刷するプリンタドライバのように動作し、PDLを作成する代わりにPDFなどのプリンタ非依存印刷中間データを作成する。
【００２０】
次にステップS404では印刷中間データ作成部７のRIP済みデータ作成部１０においてRIP済みデータの作成を行う。たとえば前記PDFのようなベクターデータからプリンタにおいて最終的に印刷されるビットマップ（ラスターイメージ）にラスタライズ（展開）してRIP済みデータを作成する。
【００２１】
再び図３のフローに戻り、ステップS304に進む。
【００２２】
ステップS304では、印刷中間データ作成部７の情報ヘッダ作成部１１において、ステップＳ304で作成された全ての印刷中間データと対象となるプリンタの情報をひとまとめにした情報ヘッダ２０９を作成する。
【００２３】
ステップS305では、印刷中間データ作成部７において、前述の各印刷中間データと情報ヘッダ２０９をひとまとめにして印刷中間データコンテナ２０８を作成する。
【００２４】
最後にステップS306では、印刷中間データ作成部７において、プリンタ２０５〜２０７のプリンタスケジュールにあわせてプリンタを決定し、選択されたプリンタにあわせて最適な印刷中間データを選択して印刷を行う。
【００２５】
ステップＳ306の処理に関しては、図５のフローで説明する。
【００２６】
ステップＳ501でプリンタスケジュールを確認。顧客の要望や稼動プリンタ、顧客要望にあわせた能力を持つプリンタなどが勘案されて印刷担当者によりプリンタスケジュール情報がシステムに入力されている。
【００２７】
ステップＳ502で、印刷担当者により確定されたプリンタの情報入力が行われ印刷中間データ作成部においてプリンタが確定される。
【００２８】
ステップＳ503で、印刷中間データ作成部７において、印刷中間データコンテナ２０８内の情報ヘッダ２０９の対象機種と印刷中間データ種から選択されたプリンタで最も高速に印刷可能な印刷中間データを選択する。
【００２９】
たとえば、RIP済みデータが前記選択プリンタでも問題なく使えるのであればRIP済みデータを選択する。使えない場合は、PDLデータが前記選択プリンタでも問題なく使えないか確認し、使えればPDLデータを選択する。PDLデータも使えない場合は、プリンタ非依存の印刷中間データ、例えばPDFデータを選択する。
【００３０】
ステップS504では、ステップS503で選択された最も高速に印刷可能な印刷中間データから印刷を行いすべての処理を終了する。
【図面の簡単な説明】
【００３１】
【図１】本実施形態のＷＥＢ入稿印刷システムの構成を示すブロック図である。
【図２】本実施形態のＷＥＢ入稿印刷システムを示す概念図である。
【図３】本発明の一実施例であるＷＥＢ入稿印刷システムの印刷処理を示すフローチャートである。
【図４】図３に示す本発明の一実施例であるＷＥＢ入稿印刷システムの印刷処理の中のステップS303の詳細な処理を示すフローチャートである。
【図５】図３に示す本発明の一実施例であるＷＥＢ入稿印刷システムの印刷処理の中のステップS306の詳細な処理を示すフローチャートである。
【図１】
2006155017.tif 000003
【図２】
2006155017.tif 000004
【図３】
2006155017.tif 000005
【図４】
2006155017.tif 000006
【図５】
2006155017.tif 000007